(57)【要約】  【課題】複数の無線通信機の個々のスケルチ感度の基準を統一することができ、また、ユーザによって容易にスケルチ感度の調整が可能な無線通信機を提供すること。  【解決手段】本発明にかかるスケルチ機能を備えた無線通信機においては、受信信号に含まれる雑音成分の信号強度に応じた雑音信号強度検出信号を出力し、前記雑音信号強度検出信号と、設定されたスケルチ設定情報との比較結果に応じてスケルチ制御信号を出力するように構成するとともに、基準となるスケルチ設定情報を記憶手段に記憶し、且つ、記憶した基準となるスケルチ設定情報を読み出して、スケルチ制御手段に設定できるようにした。【選択図】      図１
2008219143.tif 000002
【特許請求の範囲】
【請求項１】
無線信号を受信して復調する受信復調部と、
前記受信復調部により復調された信号を再生部へ出力するか否かを制御するスイッチ手段と、
スケルチ設定値に基づいて、復調信号に含まれる雑音成分の信号強度に応じた雑音信号強度検出信号を出力し、雑音信号強度検出信号のレベルを所定のしきい値と比較し、雑音信号強度検出信号のレベルが所定のしきい値を超える場合には、前記スイッチ手段を開き、復調信号の再生部への供給を停止し、雑音信号強度検出信号のレベルが所定のしきい値を超えない場合には、前記スイッチ手段を閉じ、復調信号を再生部へ供給するスケルチ制御手段と、
複数のスケルチ感度レベル毎のスケルチ設定値を決定するデータ群を記憶し、且つ、読み出し可能な記憶手段と、
ユーザーの指示に応じて複数のスケルチ感度レベルのうちの何れか１つを指定する指定信号を出力する指定手段と、
を備えた無線通信機において、
前記データ群は、基準とする強度の基準信号を入力した状態で、一定のスケルチ動作が行われる基準値を含み、
スケルチ感度レベル毎のスケルチ設定値は、前記基準値に、レベル毎に定められた補正値を加算した値で決定されることを特徴とする無線通信機。
【請求項２】
請求項１に記載の無線通信機において、
前記記憶手段に記憶されるデータ群は、
前記基準値と、スケルチ感度レベル毎に定められた補正値とからなるデータ群であり、
スケルチ制御手段は、
前記基準値に前記指定手段によって指定されたスケルチ感度レベルに対応した補正値を加算してスケルチ設定値を算出し、
算出したスケルチ設定値に基づいて、復調信号に含まれる雑音成分の信号強度に応じた雑音信号強度検出信号を出力し、
雑音信号強度検出信号を所定のしきい値と比較し、
雑音信号強度の大小を判定することを特徴とする無線通信機。
【請求項３】
前記スケルチ制御手段は、
前記スケルチ設定値に基づいてボリューム値が決定され、
復調信号に含まれる雑音成分を前記ボリューム値に基づいた減衰量で減衰させる電子ボリューム部と、
前記電子ボリューム部から出力される減衰された雑音信号の強度に応じたノイズ検波信号を出力するノイズ検波回路と、
前記ノイズ検波信号が所定のレベル以上であることを検出したときに、
前記スイッチ手段を開き、復調信号の再生部への供給を停止するスケルチ制御信号を出力し、
前記ノイズ検波信号が所定のレベルよりも低いことを検出したときに、
前記スイッチ手段を閉じ、復調信号を再生部へ供給するスケルチ制御信号を出力するスケルチ判定手段と、
を備えたことを特徴とする請求項１または２の何れか１項に記載のスケルチ機能を備えた無線通信機。
【請求項４】
請求項１〜３の何れか１項に記載の無線通信機におけるスケルチ感度設定方法であって、
基準とする強度の基準信号を入力した状態で、
前記スイッチ手段を閉じるスケルチ制御信号が出力されている状態から、前記スイッチ手段を開くスケルチ制御信号が出力されるまで、前記スケルチ設定値を順次変化させ、
スイッチ手段を開くスケルチ制御信号が出力された時点のスケルチ設定値によって決まる基準値と、あらかじめスケルチ感度レベル毎に決定されている補正値とからなるデータ群を無線通信機の記憶手段に記憶させることによって、スケルチ感度を設定する無線通信機におけるスケルチ感度設定方法。
【請求項５】
請求項１〜３の何れか１項に記載の無線通信機におけるスケルチ感度を設定する設定装置であって、
前記スケルチ制御信号を受信する受信手段と、
前記スケルチ設定値を制御する信号を出力するスケルチ設定値制御信号送信手段と、
前記受信手段において受信した前記スケルチ制御信号が、
前記スイッチ手段を開くスケルチ制御信号となったときのスケルチ設定値を、前記記憶手段に記憶させるスケルチ設定値書き込み手段と、
基準とする強度の基準信号を入力した状態で、
前記スケルチ設定値を前記スイッチが閉じた状態とする値から前記スイッチが開く状態とする値へ順次変化させて、前記スケルチ制御信号が前記スイッチを開くスケルチ制御信号へ変化したときのスケルチ設定値を、前記記憶手段に記憶させる自動調整手段とを具備し、
スケルチ感度を自動的に調整可能とするスケルチ機能設定装置。
【発明の詳細な説明】
【技術分野】
【０００１】
本発明は、複数のスケルチ感度レベルを設定可能なスケルチ回路を備えた無線通信機に関するものである。
【背景技術】
【０００２】
従来より、電子ボリューム値の調整によって、スケルチ感度を調整するように構成された無線通信機のスケルチ回路が知られている。このようなスケルチ回路においては、ユーザーは、通信距離や信号の状態に合わせて、つまみやキーパッドを使って電子ボリューム値を設定することで、無線機のスケルチ感度を調整することができる。
しかし、無線機個々に用いられている素子には特性のばらつきがあり、同じ電子ボリューム値を設定した状態でも、個々の無線機の間にスケルチ感度のばらつきが生じてしまうという問題がある。
そのため、複数の無線機を製造して出荷する場合には、複数の無線機を統一されたスケルチ感度に設定した状態で出荷するために、同じスケルチ動作がされるように無線機個々の電子ボリューム値を設定する作業が行われている。
この設定作業では、クローニングソフトなどの設定手段を備えたパーソナルコンピュータなどの端末機に、無線機の設定用端子を接続し、一定の強度の基準入力信号を入力した状態で、音声出力がオフとなる（またはオンとなる）ように電子ボリューム値を決めている。
この設定作業によって、出荷時には、スケルチ感度が統一された状態となっていた。しかし、前述のように、ユーザーは電子ボリューム値を変更することができるため、ユーザーが変更すると、もとの初期設定時の統一されたスケルチ感度を保持できないという問題があった。
ユーザーがスケルチ感度の調整を行って、初期設定時の状態のスケルチ感度に戻すためには、前記初期設定時の電子ボリューム値を記憶しておく必要性があり、そのような調整操作は困難であった。また、設定されている電子ボリューム値と、それに対するスケルチ感度の深さを把握することが困難であるという問題があった。
なお、複数のスケルチ感度レベルごとの参照電圧をメモリに記憶し、ユーザーが選択したスケルチ感度レベルに応じてスケルチ感度を調整できるスケルチ機能が下記の特許文献１に記載されている。
【０００３】
【特許文献１】特開平９−３１２５８０号公報
【発明の開示】
【発明が解決しようとする課題】
【０００４】
しかし、前記特許文献１に記載されたスケルチ機能では、無線機個々の素子のバラツキにより、スケルチ感度がばらつくという問題を解決することはできず、無線機個々のスケルチ感度を統一させることができないという欠点がある。また、各スケルチ感度レベルと入力信号強度との関係は不明確であるため、各スケルチ感度レベルがどの程度のスケルチ感度の深さに相当するものであるかを定量的に把握することができず、ユーザーによるスケルチ感度の調整が困難であった。
【０００５】
そこで、本発明は、複数のスケルチ感度レベルの何れかを選択してスケルチ感度を調整可能な無線通信機において、基準となるスケルチ感度レベルのスケルチ感度を、基準となる強度の入力信号に対して、一定のスケルチ動作が行われるように、統一された状態で設定可能とすることを目的とする。
【課題を解決するための手段】
【０００６】
本発明にかかる請求項１のスケルチ機能を備えた無線通信機においては、
無線信号を受信して復調する受信復調部と、
前記受信復調部により復調された信号を再生部へ出力するか否かを制御するスイッチ手段と、
スケルチ設定値に基づいて、復調信号に含まれる雑音成分の信号強度に応じた雑音信号強度検出信号を出力し、雑音信号強度検出信号のレベルを所定のしきい値と比較し、雑音信号強度検出信号のレベルが所定のしきい値を超える場合には、前記スイッチ手段を開き、復調信号の再生部への供給を停止し、雑音信号強度検出信号のレベルが所定のしきい値を超えない場合には、前記スイッチ手段を閉じ、復調信号を再生部へ供給するスケルチ制御手段と、
複数のスケルチ感度レベル毎のスケルチ設定値を決定するデータ群を記憶し、且つ、読み出し可能な記憶手段と、
ユーザーの指示に応じて複数のスケルチ感度レベルのうちの何れか１つを指定する指定信号を出力する指定手段と、
を備えた無線通信機において、
前記データ群は、基準とする強度の基準信号を入力した状態で、一定のスケルチ動作が行われる基準値を含み、
スケルチ感度レベル毎のスケルチ設定値は、前記基準値に、レベル毎に定められた補正値を加算した値で決定されることを特徴としている。
請求項２では、
請求項１に記載の無線通信機において、
前記記憶手段に記憶されるデータ群は、
前記基準値と、スケルチ感度レベル毎に定められた補正値とからなるデータ群であり、
スケルチ制御手段は、
前記基準値に前記指定手段によって指定されたスケルチ感度レベルに対応した補正値を加算してスケルチ設定値を算出し、
算出したスケルチ設定値に基づいて、復調信号に含まれる雑音成分の信号強度に応じた雑音信号強度検出信号を出力し、
雑音信号強度検出信号を所定のしきい値と比較し、
雑音信号強度の大小を判定するようにした。
請求項３では、
前記スケルチ制御手段は、
前記スケルチ設定値に基づいてボリューム値が決定され、
復調信号に含まれる雑音成分を前記ボリューム値に基づいた減衰量で減衰させる電子ボリューム部と、
前記電子ボリューム部から出力される減衰された雑音信号の強度に応じたノイズ検波信号を出力するノイズ検波回路と、
前記ノイズ検波信号が所定のレベル以上であることを検出したときに、
前記スイッチ手段を開き、復調信号の再生部への供給を停止するスケルチ制御信号を出力し、
前記ノイズ検波信号が所定のレベルよりも低いことを検出したときに、
前記スイッチ手段を閉じ、復調信号を再生部へ供給するスケルチ制御信号を出力するスケルチ判定手段と、
を備えた。
【０００７】
請求項４のスケルチ感度設定方法は、
請求項１〜３の何れか１項に記載の無線通信機におけるスケルチ感度設定方法であって、
基準とする強度の基準信号を入力した状態で、
前記スイッチ手段を閉じるスケルチ制御信号が出力されている状態から、前記スイッチ手段を開くスケルチ制御信号が出力されるまで、前記スケルチ設定値を順次変化させ、
スイッチ手段を開くスケルチ制御信号が出力された時点のスケルチ設定値によって決まる基準値と、あらかじめスケルチ感度レベル毎に決定されている補正値とからなるデータ群を無線通信機の記憶手段に記憶させることによって、スケルチ感度を設定する。
請求項５の設定装置は、
請求項１〜３の何れか１項に記載の無線通信機におけるスケルチ感度を設定する設定装置であって、
前記スケルチ制御信号を受信する受信手段と、
前記スケルチ設定値を制御する信号を出力するスケルチ設定値制御信号送信手段と、
前記受信手段において受信した前記スケルチ制御信号が、
前記スイッチ手段を開くスケルチ制御信号となったときのスケルチ設定値を、前記記憶手段に記憶させるスケルチ設定値書き込み手段と、
基準とする強度の基準信号を入力した状態で、
前記スケルチ設定値を前記スイッチが閉じた状態とする値から前記スイッチが開く状態とする値へ順次変化させて、前記スケルチ制御信号が前記スイッチを開くスケルチ制御信号へ変化したときのスケルチ設定値を、前記記憶手段に記憶させる自動調整手段とを具備し、
スケルチ感度を自動的に調整可能とする。
【発明の効果】
【０００８】
本発明によれば、個々の無線通信機のスケルチ感度を、基準を統一させた状態で設定することが可能となる。また、ユーザーは、複数のスケルチ感度のうちのいずれかを選択することで、スケルチ感度を調節することができるが、本発明によれば、個々の無線通信機の間で、基準レベルのスケルチ感度が統一されているので、調整作業が容易となる。
【発明を実施するための最良の形態】
【０００９】
以下に、本発明にかかるスケルチ機能を備えた無線通信機を、その実施の形態を示した図面に基づいて詳細に説明する。
図１は、本発明に係る無線通信機に、該無線通信機のスケルチ機能を初期設定する設定手段を接続した状態の要部のブロック図である。
図中、１は無線通信機であり、９は該無線通信機１の工場出荷時にそのスケルチ機能を初期設定するための機能を備えた設定装置である。
【００１０】
前記無線通信機１は、
無線信号を受信して復調信号を出力する受信復調部21と、
スケルチ制御信号に応じて、前記復調信号を再生部へ出力するか否かを制御するスイッチ手段22と、
前記スイッチ手段を介して出力された前記復調信号を再生する再生部23と、
前記受信復調部から出力される雑音成分を含んだ雑音信号に含まれる雑音成分の信号強度を、設定されたスケルチ感度レベルと比較して、比較結果に応じたスケルチ制御信号を出力するスケルチ制御手段３と、
１つ以上のスケルチ感度レベルに対応したデータ群をスケルチ設定情報として記憶し、また、記憶している１つ以上のスケルチ感度レベルのうちの何れか指定手段にて指定されたスケルチ感度レベルに対応したスケルチ設定情報を読み出し得る記憶手段としてのメモリ４と、
スケルチ感度レベル記憶指令に基づいて、前記スケルチ制御手段に設定されたスケルチ感度レベルに対応するスケルチ設定情報を前記メモリ４に書き込み記憶させる機能と、スケルチ感度レベル読み出し指令に基づいて、指定されたスケルチ感度レベルに対応するスケルチ設定情報を前記メモリ４から読み出して、前記スケルチ制御手段３におけるスケルチ設定情報として設定する機能とを備えた電子ボリューム制御手段５と、
ユーザーの指定に応じて、１つ以上のスケルチ感度レベルの何れか１つを指定する指定信号を、前記電子ボリューム制御手段５へ出力するスケルチ感度レベル切替手段６とを備えている。
【００１１】
前記スケルチ制御手段３は、例えば、
前記受信復調部21から出力される雑音成分を含んだ受信復調信号を、電子ボリュームステップ値制御信号に基づいて減衰させて出力する電子ボリューム31と、
前記電子ボリューム31にて減衰された雑音信号中の雑音成分を検出し、雑音成分の信号強度に応じた雑音信号強度検出信号を出力する検波回路32と、
前記雑音信号強度検出信号が所定のしきい値を越える場合には前記スイッチ手段22をオフにし、越えない場合には前記スイッチ手段22をオンに制御するスケルチ制御信号を出力するスケルチ判定手段33と、
を備えている。
前記電子ボリューム31は、前記電子ボリューム制御手段５から出力される電子ボリュームステップ値制御信号に基づいて制御される。
【００１２】
前記検波回路32は、例えば、雑音信号中の雑音成分をフィルタによって検出し、検出した雑音成分をリミッタに入力して雑音成分の信号強度に応じた振幅を持ったパルス状の雑音信号強度検出信号を出力するように構成されている。
前記スケルチ制御信号は、例えば、HighレベルとLowレベルの２値信号であり、例えば前記雑音信号強度検出信号が入力されたときに、一定期間内に検出された、所定のしきい値以上の振幅を持ったパルス状の雑音信号強度検出信号の数を計数し、計数されたパルス状の雑音信号強度検出信号の数が所定のしきい値より大きい場合には、前記スイッチ手段22をオフにするHighレベルのスケルチ制御信号が出力されてスケルチが閉じられ、前記しきい値を越えない場合には前記スイッチ手段22をオンに制御するLowレベルのスケルチ制御信号が、前記スケルチ判定手段33から出力されてスケルチが開かれる。
そして、前記スケルチ判定手段33からHighレベルのスケルチ制御信号が出力されると、前記スイッチ手段22はオフとなり、前記再生部23へは復調信号は出力されないので、耳障りな雑音がスピーカなどから再生されることは防止される。
そして、前記スケルチ判定手段33からLowレベルのスケルチ制御信号が出力されると、前記スイッチ手段22はオンとなり、前記スイッチ手段22を介して前記再生部23へ復調信号が出力されて、スピーカなどから再生される。
なお、前記スケルチ感度レベル切替手段６は、特許請求の範囲に記載された指定手段を含んでいる。
【００１３】
前記設定装置９は、図６に示したように、
例えば、クローニングソフトなどのプログラムがインストールされたパーソナルコンピュータ90を用いて構成されており、
前記パーソナルコンピュータ90のディスプレイ画面を見ながら、キーボードやマウスなどの操作手段を操作して、電子ボリューム値を入力する電子ボリューム値入力手段91と、
前記電子ボリューム値入力手段91で入力された電子ボリューム値を、前記無線通信機１に送信する電子ボリューム値送信手段92と、
電子ボリューム値を前記メモリ４に書き込み記憶させるために電子ボリューム値調整信号を出力する電子ボリューム値書き込み手段93とを備えている。
【実施例１】
【００１４】
実施例１では、以上の構成の無線通信機１と設定装置９とを、図１に示したように接続し、以下のようにして、無線通信機１のスケルチ機能を設定する。このとき、１つの無線通信機を基準となる無線通信機として使用し、その他の複数の無線通信機を順次調整して出荷する場合を、一例として説明する。
まず、基準入力信号発生装置（図示せず。）などから、一定の信号強度の基準入力信号を、複数の無線通信機の内の何れかの無線通信機１の受信復調部21に入力する。
図２のステップＳ21においては、無線通信機が接続され、且つ、スイッチ手段22がオフとなっていることを確認する。
前記設定装置９の前記電子ボリューム値入力手段91を操作して、電子ボリューム値を入力する。
前記設定装置９の前記電子ボリューム値送信手段92によって、前記入力された電子ボリューム値が前記無線通信機１に送信される。
【００１５】
前記無線通信機１の前記電子ボリューム制御手段５は、前記設定装置９から送信された電子ボリューム値に対応した電子ボリュームステップ値制御信号を前記電子ボリューム31に出力して、前記電子ボリューム31を前記電子ボリューム値に対応した抵抗値に設定する。（図５のステップＳ51、Ｓ52参照。）
前記電子ボリューム31の抵抗値は、例えば、０〜255のステップ値で指定されており、例えば、電子ボリュームのステップ値が大きいほど、前記電子ボリューム31を経た雑音信号の振幅が大きくなるように設定され、電子ボリュームのステップ値が小さいほど、前記電子ボリューム31を経た雑音信号の振幅が小さくなるように設定されている。
なお、設定された前記電子ボリューム値に対応するステップ値は前記メモリ４に書き込み記憶される。
【００１６】
前記無線通信機１のスケルチ制御手段３から、スケルチ制御信号として、前記スイッチ手段22をオンにするスケルチ制御信号が出力されるまで、即ち、スケルチが開かれるまで（図２のステップＳ22参照。）、例えば、前記電子ボリュームステップ値を大きい値から徐々に減少させて（図２のステップＳ23参照。）前記ノイズ検波回路32に入力される雑音信号の強度を徐々に小さくする。
前記スケルチ制御手段３から前記スイッチ手段22をオンにするスケルチ制御信号が出力されると（図２のステップＳ22参照。）、前記スイッチ手段22がオンになって、前記再生部23のスピーカなどから再生されるので、操作者の耳によって、スケルチが開いたことが確認される。
スケルチが開くとスケルチの設定作業が完了であり、無線通信機１を設定装置９から取り外すと、設定完了時の電子ボリューム値が無線通信機のメモリ４に基準値として保存された状態となる。
【００１７】
指定可能なスケルチ感度レベルの段階をレベル０（スケルチ機能がオフの状態）〜レベル８までの９段階とし、各スケルチ感度レベルのスケルチ感度が対応する信号強度（スケルチが開かれ、再生部で復調信号が再生される下限の信号強度）と、各スケルチ感度レベルに対応した電子ボリューム値の補正値と、スケルチ感度レベル毎の電子ボリューム値の例を図３に示す。
ここで、図３において太線で示したように、基準レベルをレベル２とし、基準となる信号強度を−123dBmとし、−123dBmの基準信号を入力した状態で、無線通信機１において、前記スイッチ手段２２がオンとなったときの電子ボリューム値が８０であったとする。このとき、図４の最上段に示すように、８０という電子ボリューム値が基準値として無線通信機１のメモリ４に記憶される。
【００１８】
無線通信機１のメモリ４には、図４の第２行目以下のように、スケルチ感度レベル毎の補正値からなるデータ群が、あらかじめ記憶されている。
各スケルチ感度レベルの補正値のデータは、基準となる無線通信機において、各スケルチ感度レベルが対応する強度の信号を入力した状態で、基準値と同様の測定方法により得られる電子ボリューム値と、基準となる無線通信機における基準値との差を求める等の方法で作成されたものである。
【００１９】
このようにして、１台の無線通信機の設定作業が終了すると、次の１台の無線通信機１についても、前記同様に基準入力信号を入力させて、無線通信機１のスケルチ感度を調整する。
なお、次の無線通信機の場合には、基準値としての電子ボリューム値は80とは異なる場合があり、各レベルに対する補正値も、図４の値とは異なる場合がある。
【００２０】
このようにして、複数の無線通信機について、一定強度の基準入力信号を入力した状態で電子ボリュームの基準値が決定されるので、無線通信機個々の素子にバラツキがあっても、それらの無線通信機個々のスケルチ感度を統一されたものとすることが可能となるのである。
【００２１】
次に、以上のようにしてスケルチ機能が調整された無線通信機１が、工場から出荷されて、一般のユーザーが使用する場合を説明する。
【００２２】
一般のユーザーが使用するときは、無線通信機１は設定装置に接続されていないので、
スケルチ感度レベル切替制御信号が有るか否かをチェックし（図５のステップＳ58参照。）、無ければ現状の電子ボリュームステップ値に基づいてスケルチ機能を動作させる（図５のステップＳ53〜Ｓ55参照。）。スケルチ感度レベル切替制御信号が有る場合には、メモリ４のデータ群を参照して、指定されたスケルチ感度レベル（レベル０〜８）に対応する補正値を読み出し（図５のステップＳ59参照。）、読み出した補正値と基準値とを加算して電子ボリュームステップ値を算出し（図５のステップＳ60参照。）、算出した電子ボリュームステップ値に基づいて前記電子ボリューム制御手段５から電子ボリュームステップ値制御信号を出力して電子ボリューム31の抵抗値を設定する（図５のステップＳ61参照。）。そして、設定された電子ボリュームステップ値に基づいてスケルチ機能を動作させる（図５のステップＳ53〜Ｓ55参照。）
例えば、図４のようなデータが記憶された無線通信機１では、ユーザーのスケルチ感度レベル切替手段６の操作によって、スケルチ感度レベル５が選択された場合、補正値６０が基準値８０に加算され、このときの電子ボリューム値は１４０に設定される。その他のスケルチ感度レベルにおいても、図３の右端の列に示すように、基準値と補正値の加算値によって、電子ボリューム値が設定される。
【００２３】
ユーザーは、必要に応じて、前記スケルチ感度レベル切替手段６を操作して、スケルチ感度レベル２を選択して指定することにより、直ちに、工場出荷時の初期状態のスケルチ感度に設定し直すことができる。
また、前記スケルチ感度レベル切替手段６を操作して、所望のレベル０〜８を選択することにより、レベル２を基準として、スケルチの深さを段階的に設定することが可能となる。各レベルが対応している入力信号強度の目安となっているdB値も分かっているので、各レベルのスケルチ感度の深さを定量的に把握することが可能となり、ユーザーによるスケルチ機能の調整が極めて容易になる。
【００２４】
本実施の形態では、スケルチ感度レベル毎の電子ボリュームの補正値を求める際に、基準となる無線通信機を用いて測定した電子ボリューム値から、基準値を差し引いて決定しているが、基準レベルの電子ボリューム値に対して、−100、＋100、＋200・・・とするように、各スケルチ感度レベルの補正値を任意に指定してもよい。電子ボリュームのステップ値に対してスケルチが開く信号強度の傾きについては、個々の無線通信機間のばらつきが少ないので、基準レベルのみ統一されていれば、個々の無線通信機のスケルチ感度を統一することは可能となる。
また、基準値と補正値を加算する処理を無線通信機内で行っているが、基準値に補正値を加算した値を各スケルチ感度レベルのスケルチ設定値として予め求め、無線通信機の記憶手段に記憶させてもよい。
また、スケルチ制御手段としては、本実施の形態に限らず、復調信号に含まれる雑音信号のレベルをスケルチ感度毎に記憶しておき、雑音信号のレベルを前記しきい値との比較結果に基づいてスケルチの開閉を制御するスケルチ制御手段としてもよい。
【実施例２】
【００２５】
設定装置による設定作業を自動化するために、設定装置は、図７に示したような構成としてもよい。
図７において、設定装置９Ｂは，
前記無線通信機から出力される前記スケルチ制御信号を受信する受信手段９１Ｂと、
前記無線通信機における前記スケルチ設定値を制御する信号を出力するスケルチ設定値制御信号送信手段９２Ｂと、
前記受信手段において受信した前記スケルチ制御信号が、
前記無線通信機におけるスイッチ手段を開くスケルチ制御信号となったときのスケルチ設定値を、前記記憶手段に記憶させるスケルチ設定値書き込み手段９３Ｂと、
前記スイッチ設定値を前記スイッチが閉じた状態とする値から前記スイッチが開く状態とする値へ順次変化させて、前記スケルチ制御信号が前記スイッチを開くスケルチ制御信号へ変化したときのスケルチ設定値を、前記記憶手段に記憶させる自動調整手段９４Ｂとを具備している。
なお、前記設定装置９Ｂは、パーソナルコンピュータ90Ｂにインストールしたソフトウエアなどの手段を用いて実現されており、
前記電子ボリューム値をスケルチが閉じた状態とする値から開く状態とする値へ順次変化させて、前記スケルチ制御手段から出力されるスケルチ制御信号を前記受信手段９１Ｂにて受信し、スケルチ制御信号がスケルチを開くスケルチ制御信号に変化したときに、スケルチ感度の調整が完了したことを判断して、そのときの電子ボリューム値を、前記スケルチ設定値書き込み手段９３Ｂにてスケルチ設定情報として前記メモリ４に記憶させるための電子ボリューム値調整信号を出力するように構成されている。
図２におけるステップＳ22は、前記無線通信機１のスケルチ制御手段３から前記スイッチ手段22を開くHighレベルのスケルチ制御信号が出力されるか否かをチェックする処理に置き換え、図２におけるステップＳ23は、電子ボリュームステップ値を１ずつ減少させるという処理に置き換えることによって、前記自動調整手段９４Ｂにおいては、スケルチ機能の設定作業を自動化することが可能となっている。
【図面の簡単な説明】
【００２６】
【図１】本発明にかかるスケルチ機能を備えた無線通信機の実施の形態の構成を示した構成図である。
【図２】無線通信機を設定装置と接続してスケルチ機能を設定する場合のフローチャートである。
【図３】スケルチ感度レベル毎の雑音成分の信号強度と、補正値と、電子ボリュームステップ値との例を示した図である。
【図４】ある無線通信機１のメモリに記憶格納されるデータテーブルの例を示した図である。
【図５】無線通信機の動作を説明するフローチャートである
【図６】設定装置の構成を示すブロック図である。
【図７】自動設定が可能な設定装置の構成を示すブロック図である。
【符号の説明】
【００２７】
１  無線通信機
21  受信復調部
22  スイッチ手段
23  再生部
３  スケルチ制御手段
31  電子ボリューム
32  ノイズ検波回路
33  スケルチ判定手段
４  メモリ
５  電子ボリューム制御手段
６  スケルチ感度レベル切替手段
９  設定装置
90  パーソナルコンピュータ
91  電子ボリューム値入力手段
92  電子ボリューム値送信手段
93  電子ボリューム値書き込み手段
９Ｂ  設定装置
91Ｂ  受信手段
92Ｂ  スケルチ設定値制御信号送信手段
93Ｂ  スケルチ設定値書き込み手段
94Ｂ  自動調整手段
【図１】
2008219143.tif 000003
【図２】
2008219143.tif 000004
【図３】
2008219143.tif 000005
【図４】
2008219143.tif 000006
【図５】
2008219143.tif 000007
【図６】
2008219143.tif 000008
【図７】
2008219143.tif 000009